(57)【要約】      （修正有）【課題】視感度が向上したプラズマディスプレイパネル用フィルタ及びそれを備えたプラズマディスプレイ装置を提供する。【解決手段】プラズマディスプレイパネル用フィルタ５０において、プラズマディスプレイパネル１５０のホワイトバランスをＭＰＣＤのマイナス領域に位置させるプラズマディスプレイパネル用フィルタ５０を備える。【選択図】図４
2009175723.tif 000002
【特許請求の範囲】
【請求項１】
プラズマディスプレイパネル用フィルタにおいて、
前記プラズマディスプレイパネルのホワイトバランスを色度図上におけるＭＰＣＤ（Ｍｉｎｉｍｕｍ  Ｐｅｒｃｅｐａｔｉｂｌｅ  Ｃｏｌｏｒ  Ｄｉｆｆｅｒｅｎｃｅ）のマイナス領域に位置させる、プラズマディスプレイパネル用フィルタ。
【請求項２】
前記フィルタの光透過率曲線は、第１吸収ピーク、第２吸収ピーク、及び第３吸収ピークを有し、
前記第１吸収ピークは、４７０ｎｍないし５２０ｎｍの波長領域に形成され、
前記第２吸収ピークは、５２０ｎｍないし５６０ｎｍの波長領域に形成され、
前記第３吸収ピークは、５６０ｎｍないし６１０ｎｍの波長領域に形成されることを特徴とする請求項１に記載のプラズマディスプレイパネル用フィルタ。
【請求項３】
前記第１吸収ピークの透過率は、前記第２吸収ピークの透過率よりも低く、前記第３吸収ピークの透過率よりも高いことを特徴とする請求項２に記載のプラズマディスプレイパネル用フィルタ。
【請求項４】
前記第１吸収ピークの透過率は、２０％ないし５０％であり、
前記第２吸収ピークの透過率は、４０％ないし６０％であり、
前記第３吸収ピークの透過率は、５％ないし２５％であることを特徴とする請求項２に記載のプラズマディスプレイパネル用フィルタ。
【請求項５】
前記フィルタは、透明基材と、前記透明基材上に形成された近赤外線遮蔽層と、を備えることを特徴とする請求項２に記載のプラズマディスプレイパネル用フィルタ。
【請求項６】
前記フィルタは、透明基材と、前記透明基材上に形成された電磁波遮断層または静電気遮断層と、を備えることを特徴とする請求項２に記載のプラズマディスプレイパネル用フィルタ。
【請求項７】
前記電磁波遮断層または静電気遮断層は、繊維メッシュ、金属メッシュ、または導電膜を備えることを特徴とする請求項６に記載のプラズマディスプレイパネル用フィルタ。
【請求項８】
前記フィルタは、透明基材と、前記透明基材上に形成された反射防止層と、を備えることを特徴とする請求項２に記載のプラズマディスプレイパネル用フィルタ。
【請求項９】
ガス放電により画像表示を具現するプラズマディスプレイパネルと、
前記プラズマディスプレイパネルに駆動信号と電力とを供給し、前記プラズマディスプレイパネルを制御する駆動回路基板と、
前記プラズマディスプレイパネルと前記駆動回路基板とを支持するシャーシと、
前記プラズマディスプレイパネルの前面に取付けられる請求項１〜８のいずれか一項に記載のフィルタと、を備えることを特徴とするプラズマディスプレイ装置。
【発明の詳細な説明】
【技術分野】
【０００１】
本発明は、プラズマディスプレイパネル（Ｐｌａｓｍａ  Ｄｉｓｐｌａｙ  Ｐａｎｅｌ：ＰＤＰ）用フィルタ及びそれを備えたプラズマディスプレイ装置に係り、特にホワイトバランスを調節して視感度を向上させるＰＤＰ用フィルタ及びそれを備えたプラズマディスプレイ装置に関する。
【背景技術】
【０００２】
プラズマディスプレイパネル（Ｐｌａｓｍａ  Ｄｉｓｐｌａｙ  Ｐａｎｅｌ：ＰＤＰ）を利用するプラズマディスプレイ装置は、ガス放電現象を利用して画像を表示する平板ディスプレイ装置であって、輝度、コントラスト、残像、及び視野角などの各種の表示能力が既存のＣＲＴ（Ｃａｔｈｏｄｅ−Ｒａｙ  Ｔｕｂｅ）に比べて優れており、薄型で大画面表示が可能であるので、次世代の大型平板ディスプレイ装置として脚光を浴びている。
【０００３】
一般的に、ＰＤＰの前面には、直付けフィルタが配置される。前記直付けフィルタは、ＰＤＰの蛍光体から発生する不要な光を吸収し、必要な光の透過率を調節して、ＰＤＰの発光色とホワイトバランスとを調節する。放電ガスとしてＮｅが使われる場合には、オレンジ光が発生する。従来の直付けフィルタは、オレンジ光を吸収して赤色光の色純度を増加させる。
【０００４】
しかし、これによって、ＭＰＣＤ（Ｍｉｎｉｍｕｍ  Ｐｅｒｃｅｐａｔｉｂｌｅ  Ｃｏｌｏｒ  Ｄｉｆｆｅｒｅｎｃｅ）、すなわち最も近い黒体軌跡からの距離は、プラス領域に位置しており、ＰＤＰは、やや赤い白色を発する。心理的には、やや赤い白色は、薄青い白色に比べて鮮明度（視感度）が低いため、見た目がきれいではないという問題点がある。
【発明の開示】
【発明が解決しようとする課題】
【０００５】
本発明の目的は、ホワイトバランスを調節することにより、視感度が向上したＰＤＰ用フィルタ及びそれを備えたプラズマディスプレイ装置を提供することにある。
【課題を解決するための手段】
【０００６】
前記目的を達成するために、本発明のＰＤＰ用フィルタは、前記ＰＤＰのホワイトバランスをＭＰＣＤのマイナス領域に位置させる。
【０００７】
本発明において、前記フィルタの光透過率曲線は、第１吸収ピーク、第２吸収ピーク、及び第３吸収ピークを有し、前記第１吸収ピークは、４７０ｎｍないし５２０ｎｍの波長領域に形成され、前記第２吸収ピークは、５２０ｎｍないし５６０ｎｍの波長領域に形成され、前記第３吸収ピークは、５６０ｎｍないし６１０ｎｍの波長領域に形成される。
【０００８】
本発明において、前記第１吸収ピークの透過率は、前記第２吸収ピークの透過率より低く、前記第３吸収ピークより高い。
【０００９】
本発明において、前記第１吸収ピークの透過率は、２０％ないし５０％であり、前記第２吸収ピークの透過率は、４０％ないし６０％であり、前記第３吸収ピークの透過率は、５％ないし２５％でありうる。
【００１０】
本発明のプラズマディスプレイ装置は、ガス放電により画像表示を具現するＰＤＰと、前記ＰＤＰに駆動信号と電力とを供給し、前記ＰＤＰを制御する駆動回路基板と、前記ＰＤＰと前記駆動回路基板とを支持するシャーシと、前記ＰＤＰの前面に取付けられる前記フィルタと、を備える。
【発明の効果】
【００１１】
本発明のプラズマディスプレイ装置の製造方法によれば、ホワイトバランスをＭＰＣＤのマイナス領域に位置させることによって、ＰＤＰの発光色が薄青い白色を表すようにする。これにより、ＰＤＰの視感度は向上する。
【発明を実施するための最良の形態】
【００１２】
以下、添付された図面に示した本発明の実施形態を参照して、本発明を詳細に説明する。  しかし、本発明は、その他にも色々な他の形態に変形され、本発明の範囲が後述する実施形態に限定されるものではない。本発明の実施形態は、当業者に本発明をさらに完全に説明するために提供されるものである。したがって、図面での要素の形状及び大きさは、さらに明確な説明のために誇張され、図面上の同じ符号で表示される要素は、同じ要素である。
【００１３】
本発明の一実施形態のＰＤＰ用フィルタは、ＰＤＰのホワイトバランスをＭＰＣＤのマイナス領域に位置させる。ＭＰＣＤは、相関色温度を利用して色を表示するとき、黒体軌跡から離れている度合いを表したものである。黒体軌跡より上側に外れた場合をプラスで、下側に外れた場合をマイナスで表示する。図１は、ＣＩＥ（Ｃｏｍｍｉｓｓｉｏｎ  Ｉｎｔｅｒｎａｔｉｏｎａｌ  ｄｅ  ｌ´Ｅｃｌａｉｒａｇｅ）ｘｙ色度図を示す。図１に示すように、右上に向けて弧を描く曲線Ａが黒体軌跡である。ＣＩＥ  ｘｙ色度図で、色座標が黒体軌跡Ａの上側に存在すれば、ＭＰＣＤはプラスであり、黒体軌跡Ａの下側に存在すれば、ＭＰＣＤはマイナスである。本発明は、フィルタのスペクトルを調節して、ＰＤＰのホワイトバランスをＭＰＣＤのマイナス領域に位置させることによって、本発明のフィルタを透過した発光色を薄青い白色にして視感度（心理的な画質）を向上させる。また、色温度が向上する。
【００１４】
なお、以上では色温度（相関色温度）と偏差をＣＩＥ  ｘｙ色度図におけるＭＰＣＤを用いて説明したが、ｕｖ色度図における偏差についても同様である。ｕｖ色度図における場合も、たとえば５０００Ｋ＋０．００２（ｕｖ単位）または５０００Ｋ−０．００５（ｕｖ単位）のように表示され、色座標が黒体軌跡Ａの上側に存在すれば、偏差はプラスであり、黒体軌跡Ａの下側に存在すれば、偏差はマイナスであることは本質的に変わらない。
【００１５】
図２は、本発明の一実施形態によるＰＤＰ用フィルタの光透過率曲線及びＰＤＰの光透過率曲線を示すグラフである。
【００１６】
図２に示すように、前記フィルタの光透過率曲線は、第１吸収ピーク、第２吸収ピーク及び第３吸収ピークを有し、前記第１吸収ピークは、４７０ｎｍないし５２０ｎｍの波長領域で形成され、前記第２吸収ピークは、５２０ｎｍないし５６０ｎｍの波長領域で形成され、前記第３吸収ピークは、５６０ｎｍないし６１０ｎｍの波長領域で形成される。さらに具体的には、前記第１吸収ピークの透過率が前記第２吸収ピークの透過率よりも低く、前記第３吸収ピークの透過率よりも高い。前記第１吸収ピークの透過率は、２０％ないし５０％であり、前記第２吸収ピークの透過率は、４０％ないし６０％であり、前記第３吸収ピークの透過率は、５％ないし２５％でありうる。
【００１７】
第１吸収ピークは、４７０ｎｍないし５２０ｎｍの波長領域、すなわち青色と緑色との間の波長領域に形成される。したがって、第１吸収ピークにより、青色と緑色との色純度が向上する。第１吸収ピークの透過率は、２０％ないし５０％である。特に、５００ｎｍでの透過率は３９％である。第１吸収ピークの透過率は、第２吸収ピークの透過率より低く、第３吸収ピークの透過率より高い。
【００１８】
第２吸収ピークは、５２０ｎｍないし５６０ｎｍの波長領域に形成される。５２０ｎｍないし５６０ｎｍの波長領域は、緑色を表す領域である。５２０ｎｍないし５６０ｎｍの波長領域のうち、特に５５０ｎｍ波長領域は、人の視感度で感じるのに最も敏感な波長領域である。したがって、５５０ｎｍ波長領域の透過率の調節は、ＭＰＣＤを調節して視感度を向上させるのに重要な役割を担う。第２吸収ピークが形成される５２０ｎｍないし５６０ｎｍの波長領域での透過率は、４０％ないし６０％である。特に、５５０ｎｍでの透過率は、４８％である。第２吸収ピークの透過率は、第１吸収ピークの透過率よりも高い。
【００１９】
第３吸収ピークは、５６０ｎｍないし６１０ｎｍの波長領域に形成される。５６０ｎｍないし６１０ｎｍの波長領域は、オレンジ色を表す。図２において、ＰＤＰの透過スペクトルは、５９０ｎｍ波長領域で高い発光ピークを有する。これは、ＰＤＰの放電ガスが放電されたとき発生する光である。前記発光ピークにより、画面が全体的にオレンジ色を帯びるという問題点がある。本発明のフィルタは、５６０ｎｍないし６１０ｎｍの波長領域に第３吸収ピークを有しているので、前記発光ピークにより影響を最小化する。また、本発明のフィルタは、オレンジ色領域である５６０ｎｍないし６１０ｎｍの波長領域に第３吸収ピークを有しているので、赤色の色純度を向上させる。第３吸収ピークの透過率は、５％ないし２５％である。特に、５９５ｎｍでの透過率は１５％である。第３吸収ピークの透過率は、第１吸収ピークよりも低い。
【００２０】
表１は、本発明の一実施形態によるＰＤＰ用フィルタの各種の測定値を表す。
【００２１】
【表１】
2009175723.tif 000003
【００２２】
表１に示すように、比較例１の測定値は、ＰＤＰにフィルタが配置されていない場合の測定値である。比較例２の測定値は、従来のフィルタが配置されたＰＤＰでの測定値である。前記従来のフィルタは、オレンジ色波長領域を吸収するガラスフィルタである。実施例の測定値は、前記本発明の一実施形態によるフィルタが取付けられたＰＤＰでの測定値である。さらに具体的には、前記本発明の一実施形態によるフィルタは、５００ｎｍ波長で３９％、５５０ｎｍ波長で４８％、５９６ｎｍ波長で１５％の透過率を有する。なお、表１の測定値は、５０インチＰＤＰで測定された値である。
【００２３】
ＭＰＣＤは、比較例１では３．８６、比較例２では３．２６であり、正の値を有するのに対し、本発明の実施例では−０．８６であり、負の値を有する。これによって、ＰＤＰの発光色が薄青い白色となり、視感度が向上する。
【００２４】
色温度は、比較例１では８３５２Ｋ、比較例２では９８６５Ｋ、実施例では１０１９３Ｋであり、本発明の実施例において色温度が増加するということが分かる。
【００２５】
色再現面積は、比較例１では０．０７１、比較例２では０．０７５であり、実施例では０．０８２である。これに基づいて色再現力を比較すれば、比較例１では９５．７０％、比較例２では１０１．６３％である一方、実施例では１１０．２３％である。比較例２では、比較例１に比べて５．９％増加するのに止まったが、実施例では、比較例１に比べて１４．５％増加しており、比較例２に比べて大きく色再現力が向上したということが分かる。
【００２６】
図３は、本発明の一実施形態によるフィルタ５０を備えるプラズマディスプレイ装置１００を示す分離斜視図であり、図４は、図３のＩＶ−ＩＶ線の断面図である。図５は、図３に示したフィルタ５０を概略的に示す断面図である。ここで、プラズマディスプレイ装置は、本発明のフィルタが適用される一例を挙げたものであって、本発明のフィルタを備えるディスプレイ装置は、プラズマディスプレイ装置に限定されない。
【００２７】
図３ないし図５に示すように、プラズマディスプレイ装置１００は、ＰＤＰ１５０、シャーシ１３０、及び回路部１４０を備える。そして、本発明によるフィルタ５０がＰＤＰ１５０の前面に取付けられる。前記ＰＤＰ１５０とシャーシ１３０との結合のために、両面接着テープ１５４のような接着手段が使われる。また、ＰＤＰから作動中に放出する熱を、シャーシを通じて発散させるために、熱伝導部材１５３がシャーシ１３０とＰＤＰ１５０との間に配置される。
【００２８】
前記ＰＤＰ１５０は、ガス放電により画像表示を具現し、互いに結合される前方パネル１５１及び後方パネル１５２を備える。
【００２９】
前記フィルタ５０は、ＰＤＰ１５０の前面に粘着層１４により取付けられる。ここでは、前述した実施形態のフィルタ５０を示しつつ説明するが、前記実施形態のフィルタ５０にのみに限定されず、本発明の特徴が反映された多様な形態の変形されたフィルタが使われる。
【００３０】
前記フィルタ５０は、ガラスなどの透明基材１１、電磁波遮断層または静電気遮断層１２、近赤外線遮蔽層１３、及び反射防止層１４を備えうる。電磁波遮断層または静電気遮断層１２、近赤外線遮蔽層１３、及び反射防止層１４は、透明基材１１上に形成される。なお、「透明基材１１上に形成される」とは、透明基材１１に接する場合のみならず、透明基材１１の上方に他の層を介して形成される場合も含まれる。図５は、透明基材１１上に電磁波遮断層または静電気遮断層１２、近赤外線遮蔽層１３、及び反射防止層１４が順に形成された本実施形他のフィルタ５０の一例を示すものである。また、前記フィルタ５０は、電磁波遮断層または静電気遮断層１２、近赤外線遮蔽層１３、及び反射防止層１４を備えうる。前記フィルタ５０は、ＰＤＰ１５０上に形成される。
【００３１】
透明基材１１は、ガラス以外にも、ポリエチレンテレフタラート（ＰＥＴ）、トリアセチルセルロース（ＴＡＣ）、ポリビニルアルコール（ＰＶＡ）、ポリエチレン（ＰＥ）のような透明基材が使われ、その厚さは、通常、１０ないし１０００μｍである。前記透明基材の接着は、粘着剤などを利用して行われ、その具体的な材料としては、アクリル系樹脂、ポリエステル樹脂、エポキシ樹脂、ウレタン樹脂などが挙げられ、粘着剤層の厚さは、通常、１ないし１００μｍである。
【００３２】
電磁波遮断層または静電気遮断層１２も、粘着剤層を利用して形成される。前記電磁波遮断層または静電気遮断層１２は、ＰＤＰ１５０から発生する電磁波または静電気を遮蔽するためのものであって、繊維メッシュ、金属メッシュ、または導電膜を備える。また、これに制限されるものではないが、Ａｇ、Ｃｕ、Ｎｉ、Ａｌ、Ａｕ、Ｆｅ、Ｉｎ、Ｚｎ、Ｐｔ、Ｃｒ、Ｐｄからなる金属メッシュまたは前記材料を多層薄膜形態にして製作することもでき、通常、薄膜である場合、１０ｎｍないし５００ｎｍの厚さに形成され、金属メッシュである場合には、１μｍないし１００μｍの厚さに形成される。
【００３３】
近赤外線遮蔽層１３は、近赤外線を吸収できる化合物を含む。かかる化合物としては、銅原子を含むレジン、銅化合物やリン化合物を含むレジン、銅化合物やチオ要素誘導体を含むレジン、タングステン系化合物を含むレジン、シアニン系化合物などが利用される。
【００３４】
また、本発明による光学フィルタは、反射防止層１４を備えることもできる。前記反射防止層は、外光反射を防止し、コントラストに影響を及ぼす拡散反射を減らすためのものであり、これらに制限されるものではないが、ＴｉＯ２、ＳｉＯ２、Ｙ２Ｏ３、ＭｇＦ２、Ｎａ３ＡｌＦ６、Ａｌ２Ｏ３、Ｂｉ２Ｏ３、Ｇｄ２Ｏ３、ＬａＦ３、ＰｂＴｅ、Ｓｂ２Ｏ３、ＳｉＯ、ＳｉＮ、Ｔａ２Ｏ５、ＺｎＳ、ＺｎＳｅ、及びＺｒＯ２からなる群から選択された一つ以上の物質を一層または多層に積層して形成された物質層であり、通常、１０ｎｍないし１００ｎｍの厚さを有する。また、かかる反射防止層を形成する方法としては、これらに制限されるものではないが、コーティング、蒸着、スパッタリングなどの方法が使われる。
【００３５】
フィルタ５０のスペクトル調節は、４７０ｎｍないし５２０ｎｍの波長領域、５２０ｎｍないし５６０ｎｍの波長領域、及び５６０ｎｍないし６１０ｎｍの波長領域を吸収できる顔料や染料により行われる。前記顔料や染料は、透明基材にコーティングまたは蒸着するか、あるいは粘着剤層に含まれる。
【００３６】
前記フィルタ５０により、前記ＰＤＰ１５０のホワイトバランスをＭＰＣＤのマイナス領域に位置させ、色温度を上昇させて視感度を向上させる。また、色再現力も向上する。
また、前記フィルタ５０により電磁波が遮断され、グレア現象が減少する。また、赤外線やネオン光が遮断される。さらに、フィルタ５０が実質的にＰＤＰ１５０の前面に直接的に取付けられるため、二重映像の問題が根本的に解消される。
【００３７】
シャーシ１３０は、ＰＤＰ１５０の後方に配置されて、ＰＤＰ１５０を構造的に支持する機能を有する。シャーシ１３０は、剛性に優れた金属材料であるアルミニウム、鉄などで形成されるか、またはプラスチックで形成されることが望ましい。
【００３８】
ＰＤＰ１５０とシャーシ１３０との間には、熱伝導部材１５３が配置されている。また、熱伝導部材１５３の周囲に沿って複数個の両面接着テープ１５４が配置されるが、両面接着テープ１５４は、ＰＤＰ１５０とシャーシ１３０とを互いに固定する機能を有する。
【００３９】
また、シャーシ１３０の後方には、回路部１４０が配置され、回路部１４０には、ＰＤＰ１５０を駆動する回路が配線される。回路部１４０は、信号伝達手段により電気的信号をＰＤＰ１５０に伝達する。信号伝達手段としては、ＦＰＣ（Ｆｌｅｘｉｂｌｅ  Ｐｒｉｎｔｅｄ  Ｃａｂｌｅ）、ＴＣＰ（Ｔａｐｅ  Ｃａｒｒｉｅｒ  Ｐａｃｋａｇｅ）、ＣＯＦ（Ｃｈｉｐ  Ｏｎ  Ｆｉｌｍ）などが選択されて使われる。本実施形態によれば、シャーシ１３０の左側及び右側には、信号伝達手段としてＦＰＣ１６１が配置されており、シャーシ１３０の上側及び下側には、信号伝達手段としてＴＣＰ１６０が配置されている。
【００４０】
一方、これまで本発明によるフィルタが適用された例を説明するにあたり、プラズマディスプレイ装置のみを限定して説明したが、本発明によるフィルタは、多様なディスプレイ装置の前面に取付けられて使われる。
【００４１】
本発明は、前述した実施形態及び添付された図面により限定されるものではなく、特許請求の範囲により限定され、特許請求の範囲に記載の本発明の技術的思想を逸脱しない範囲内で多様な形態の置換、変形及び変更が可能であるということは、当業者に自明である。
【産業上の利用可能性】
【００４２】
本発明は、プラズマディスプレイ装置関連の技術分野に適用可能である。
【図面の簡単な説明】
【００４３】
【図１】ＣＩＥ  ｘｙ色度図を概略的に示すグラフである。
【図２】本発明の一実施形態によるフィルタの透過スペクトルを示すグラフである。
【図３】本発明の一実施形態によるプラズマディスプレイ装置を概略的に示す分解斜視図である。
【図４】図３のＩＶ−ＩＶ線の断面図である。
【図５】本発明の一実施形態によるフィルタを概略的に示す断面図である。
【符号の説明】
【００４４】
１１  透明基材、
１２  電磁波遮断層または静電気遮断層、
１３  近赤外線遮蔽層、
１４  反射防止層、
５０  フィルタ。
【図１】
2009175723.tif 000004
【図２】
2009175723.tif 000005
【図３】
2009175723.tif 000006
【図４】
2009175723.tif 000007
【図５】
2009175723.tif 000008